(57)【要約】  様々なリンクサイズのチェーン長を搬送するための装置が記載され、この装置は、シャフトに取付けるための少なくとも１つの第１側板と、第１側板に放射状に設けられた少なくとも４つのキャッチングアームとを備え、各キャッチングアームは、隣接するキャッチングアームに対して略９０°の角度をなして設けられている。
2008545112.tif 000002
【特許請求の範囲】
【請求項１】
様々なリンクサイズの所定長のチェーンを搬送するための装置において、
前記装置は、
シャフトに連結するための少なくとも１つの第１側板（１０）と、
前記第１側板（１０）に放射状に設けられた少なくとも４つのキャッチングアーム（２０）とを備え、
各前記キャッチングアーム（２０）は、隣接する前記キャッチングアーム（２０）に対して約９０°の角度をなして設けられ、
各前記キャッチングアーム（２０）は、前記第１側板（１０）上で放射状に移動可能であることを特徴とする装置。
【請求項２】
第２側板（３０）を更に備えたことを特徴とする請求項１記載の装置。
【請求項３】
１つ以上の前記キャッチングアーム（２０）は、搬送面（５０）の中央に突起部（４０）を有することを特徴とする請求項１または２記載の装置。
【請求項４】
所定長のチェーンを移動させるための駆動電気機器に取付けられることを特徴とする請求項１乃至３のいずれか一項記載の装置。
【請求項５】
チェーンの案内用に、回動自在に取付けられることを特徴とする請求項３または４記載の装置。
【請求項６】
前記キャッチングアーム（２０）は、前記第１側板（１０）に対して約４５°および約１３５°のいずれかの角度をなして設けられていることを特徴とする請求項１乃至５のいずれか一項記載の装置。
【請求項７】
前記第１側板（１０）および前記第２側板（３０）に、放射状の溝（７０）が設けられ、前記キャッチングアーム（２０）は、前記放射状の溝（７０）に沿って移動可能であることを特徴とする請求項１乃至６のいずれか一項記載の装置。
【発明の詳細な説明】
【技術分野】
【０００１】
本発明は、様々なリンクサイズの所定長のチェーンを搬送するための装置において、シャフトに連結するための少なくとも１つの第１側板と、第１側板に放射状に設けられた少なくとも４つのキャッチングアームとを少なくとも備え、各キャッチングアームは、隣接するキャッチングアームに対して約９０°の角度をなして設けられた、装置に関する。
【背景技術】
【０００２】
リンクから構成されるチェーンが産業界で一般的に用いられている。一例としては、沖合産業であり、例えば船上曳船(onboard tugging boats)および沖合施設に並ぶ錨を取扱う揚錨船である。他の例は、金属産業または他の形態の産業である。用いられるチェーンは、様々な異なるサイズまたは径を有していても良い。
【０００３】
このようなチェーンを動かす必要があるとき、一つには特定のチェーンの寸法に適した搬送体、キャリアを有するディスク、またはローラに基づく解決手段が存在する。各チェーン寸法のために常設の搬送体を使用することは、現実的でないとともに高価である。キャリアを有するディスクまたはローラは、異なる寸法を有するチェーンを引張るための把持力に乏しい。
【０００４】
米国特許第５，２０５，７９３号および米国特許第５，２７５，３７９号には所定長のチェーンを搬送するための装置が記載され、この装置は少なくとも１つの側板を有し、この側板にシャフトが連結されていることが知られている。米国特許第５，２０５，７９３号には、装置は、側板に放射状に設けられた「キャッチングアーム」を有することが更に記載されている。米国特許第５，２７５，３７９号において、様々なサイズのチェーンを取扱い可能である。
【０００５】
このように、無負荷状態であっても負荷状態であっても、異なる寸法のチェーンを移動するのに適した、所定長のチェーンを移動するための装置の必要性が存在する。
【特許文献１】米国特許第５２０５７９３号明細書
【特許文献２】米国特許第５２７５３７９号明細書
【発明の開示】
【発明が解決しようとする課題】
【０００６】
本発明のねらいは、この要求に応えるものである。
【課題を解決するための手段】
【０００７】
本発明は、請求項１の特徴部分による装置によって特徴付けられる。他の実施の形態は従属する請求項２−７に記載される。
【発明を実施するための最良の形態】
【０００８】
本発明により所定長のチェーンを移動する装置が提供され、これは同一の装置によって異なるチェーン寸法に対して使用可能である。添付図面を参照して本発明について述べる。
【０００９】
図１に示す最も簡潔な実施の形態において、装置は、キャッチングアーム２０が嵌め込まれた第１側板１０を有している。キャッチングアーム２０は、例えば第１側板を貫通するボルトにより連結されていても良い。いくつかのボルト穴を中心から端部に向かって放射状に配置することにより、キャッチングアーム２０を放射状に移動することができ、これにより装置は、異なるサイズのチェーンリンクを収容するように設定可能である。各キャッチングアーム２０は、動かされるチェーンの１つのリンクを主にリンクの中央において搬送する搬送面を有している。好ましい実施の形態において、キャッチングアーム２０は、第１側板１０に対して約４５°および約１３５°のいずれかの角度をなして設けられていても良い。このように、隣接するキャッチングアーム２０に関して、各キャッチングアーム２０の搬送面５０間の角度は、約９０°である。このようにして、チェーンのリンクは、互いに自然な角度である約９０°を保持したまま、装置を横切って動く。
【００１０】
本発明の好ましい実施の形態において、図２に示すように、装置は、第２側板３０を更に有している。第２側板３０により、チェーンは第１側板１０と第２側板３０との間に確実に保持される。さらに第２側板３０により、キャッチングアーム２０をより安定して配置することができる。この場合キャッチングアーム２０両端で連結するので、キャッチングアーム２０をより細くできる。このため、このような解決手段による全重量は、第２側板が無い場合の解決手段と比較して大幅に重くなる必要はない。
【００１１】
調整用ねじ穴６０が図３に示されている。この調整用ねじ穴６０内にアイボルトを螺着することができ、これにより、例えばクレーンを利用して、側板の中央から関連するキャッチングアームを引き出すことができる。
【００１２】
本発明による装置は、緩いチェーンを引き上げ、想定される荷重が加わったチェーンを引き上げ、あるいは、チェーンを移動または置換するその他の目的に適している。
【００１３】
好ましい実施の形態において、装置の安定性を更に向上させるため、キャッチングアーム２０は第１側板および第２側板の溝内に位置しても良い。
【００１４】
ある種のチェーンの把持力を改善するために、一実施の形態において、キャッチングアーム２０の搬送面５０の中央に突起部４０が設けられている。この場合、調整用ねじ穴６０は突起部４０の中央に位置することが好ましいであろう。
【００１５】
図３に図示された試作品が製造されている。この試作品の試験によれば、その結果は非常に満足のいくものであった。チェーンが地面に横たわっているとき、チェーンは必然的に所定のＸ−位置に横たわる。この装置は一つには、この位置でチェーンがホイールを横切って移動するという点で顕著に優れている。既知の解決手段によれば、チェーンはチェーンホイール上を所定のＸ−位置よりむしろ＋位置に引かれるであろう。したがって、既知のタイプのチェーンホイールは、ホイールを横切って導かれる間チェーンが捻れやすいという傾向に対抗するため、平坦な地面に対して約４５°の角度で適用される必要がある。このような装置は、斜めにする必要のない装置と比べて明らかにより多くの場所を占めるであろう。
【図面の簡単な説明】
【００１６】
【図１】図１ａおよび図１ｂは、本発明による装置の最も簡潔な形態における基本的解決手段を示す図。
【図２】図２は、本発明の好ましい実施の形態の基本的解決手段を示す図。
【図３】図３は、製造および試験されている本発明の実施の形態を示す図。
【図１ａ】
2008545112.tif 000003
【図１ｂ】
2008545112.tif 000004
【図２】
2008545112.tif 000005
【図３】
2008545112.tif 000006
【国際調査報告】
2008545112.tif 000007
2008545112.tif 000008
2008545112.tif 000009
2008545112.tif 000010